(57)【要約】  本発明は、高周波熱治療装置に関し、病変部位を焼灼する電極と、高周波電流を発生させる高周波発生器と、前記高周波発生器から前記電極に延びる電気回路を開閉するスイッチとを含み、前記スイッチの操作によって前記電極の焼灼長さが可変できる。これによって、病変部位周辺の正常部位が損傷することが防止され、施術が容易であり、装備を備えるのにかかる費用が低減される。【選択図】図１
2019533522.tif 000002
【特許請求の範囲】
【請求項１】
病変部位を焼灼する電極（２００）と、
高周波電流を発生させる高周波発生器（１００）と、
前記高周波発生器（１００）から前記電極（２００）に延びる電気回路（３００）を開閉するスイッチ（３３０）とを含み、
前記スイッチ（３３０）の操作によって前記電極（２００）の焼灼長さが可変することを特徴とする高周波熱治療装置。
【請求項２】
前記電極（２００）は、
一方向に延長形成されるボディ（２１０）と、
前記ボディ（２１０）の一端部に位置する第１電極体（２２０）と、
前記ボディ（２１０）の他端部に位置し、前記第１電極体（２２０）から離隔する第２電極体（２３０）とを含み、
前記第１電極体（２２０）と前記第２電極体（２３０）がそれぞれ病変部位を焼灼可能であることを特徴とする請求項１に記載の高周波熱治療装置。
【請求項３】
前記第１電極体（２２０）は、
前記ボディ（２１０）の一端部において前記ボディ（２１０）の外周面に沿って螺旋状に巻線される第１アクティブ電極体（２２２）と、
前記ボディ（２１０）の一端部において前記ボディ（２１０）の外周面に沿って螺旋状に巻線され、前記第１アクティブ電極体（２２２）と並んで巻線される第１パッシブ電極体（２２４）とを含み、
前記第１アクティブ電極体（２２２）と前記第１パッシブ電極体（２２４）との間の高周波放射によって焼灼可能に形成されることを特徴とする請求項２に記載の高周波熱治療装置。
【請求項４】
前記第２電極体（２３０）は、
前記ボディ（２１０）の他端部において前記ボディ（２１０）の外周面に沿って螺旋状に巻線される第２アクティブ電極体（２３２）と、
前記ボディ（２１０）の他端部において前記ボディ（２１０）の外周面に沿って螺旋状に巻線され、前記第２アクティブ電極体（２３２）と並んで巻線される第２パッシブ電極体（２３４）とを含み、
前記第２アクティブ電極体（２３２）と前記第２パッシブ電極体（２３４）との間の高周波放射によって焼灼可能に形成されることを特徴とする請求項３に記載の高周波熱治療装置。
【請求項５】
前記スイッチ（３３０）の操作によって、
前記第１アクティブ電極体（２２２）と前記第１パッシブ電極体（２２４）とが前記高周波発生器（１００）に電気的に連結されてもよく、
前記第２アクティブ電極体（２３２）と前記第２パッシブ電極体（２３４）とが前記高周波発生器（１００）に電気的に連結されてもよいし、
前記第１アクティブ電極体（２２２）、前記第１パッシブ電極体（２２４）、前記第２アクティブ電極体（２３２）および前記第２パッシブ電極体（２３４）が前記高周波発生器（１００）に電気的に連結されてもよいことを特徴とする請求項４に記載の高周波熱治療装置。
【請求項６】
前記スイッチ（３３０）は、
前記高周波発生器（１００）のアクティブ端子（１１０）から延びる第１端子（３３２ａ）と、
前記高周波発生器（１００）のパッシブ端子（１２０）から延び、前記第１端子（３３２ａ）と共に一対の入力端子（３３２）を形成する第２端子（３３２ｂ）と、
前記第１アクティブ電極体（２２２）から延びる第３端子（３３４ａ）と、
前記第１パッシブ電極体（２２４）から延び、前記第３端子（３３４ａ）と共に一対の第１出力端子（３３４）を形成する第４端子（３３４ｂ）と、
前記第２アクティブ電極体（２３２）から延びる第５端子（３３６ａ）と、
前記第２パッシブ電極体（２３４）から延び、前記第５端子（３３６ａ）と共に一対の第２出力端子（３３６）を形成する第６端子（３３６ｂ）と、
前記一対の入力端子（３３２）を前記一対の第１出力端子（３３４）と前記一対の第２出力端子（３３６）に連結および遮断するブリッジ（３３８）とを含むことを特徴とする請求項５に記載の高周波熱治療装置。
【請求項７】
前記ブリッジ（３３８）は、
前記入力端子（３３２）を前記第１出力端子（３３４）と連結させる第１ブリッジ（３３８ａ）と、
前記入力端子（３３２）を前記第２出力端子（３３６）と連結させる第２ブリッジ（３３８ｂ）と、
前記入力端子（３３２）を前記第１出力端子（３３４）および前記第２出力端子（３３６）と連結させる第３ブリッジ（３３８ｃ）とを含み、
前記第１ブリッジ（３３８ａ）、前記第２ブリッジ（３３８ｂ）および前記第３ブリッジ（３３８ｃ）のいずれか１つが活性化されて、前記高周波発生器（１００）と前記電極（２００）とを電気的に連結するか、
前記第１ブリッジ（３３８ａ）、前記第２ブリッジ（３３８ｂ）および前記第３ブリッジ（３３８ｃ）がすべて非活性化されて、前記高周波発生器（１００）と前記電極（２００）とを電気的に遮断するように形成されることを特徴とする請求項６に記載の高周波熱治療装置。
【請求項８】
前記第１ブリッジ（３３８ａ）は、
前記第１端子（３３２ａ）を前記第３端子（３３４ａ）と連結させる第１アクティブブリッジ（３３８ａａ）と、
前記第２端子（３３２ｂ）を前記第４端子（３３４ｂ）と連結させる第１パッシブブリッジ（３３８ａｂ）とを含み、
前記第２ブリッジ（３３８ｂ）は、
前記第１端子（３３２ａ）を前記第５端子（３３６ａ）と連結させる第２アクティブブリッジ（３３８ｂａ）と、
前記第２端子（３３２ｂ）を前記第６端子（３３６ｂ）と連結させる第２パッシブブリッジ（３３８ｂｂ）とを含み、
前記第３ブリッジ（３３８ｃ）は、
前記第１端子（３３２ａ）を前記第３端子（３３４ａ）および前記第５端子（３３６ａ）と連結させる第３アクティブブリッジ（３３８ｃａ）と、
前記第２端子（３３２ｂ）を前記第４端子（３３４ｂ）および前記第６端子（３３６ｂ）と連結させる第３パッシブブリッジ（３３８ｃｂ）とを含むことを特徴とする請求項７に記載の高周波熱治療装置。
【請求項９】
前記ボディ（２１０）の延長方向において、前記第１電極体（２２０）の長さ（Ｌ１）は、前記第２電極体（２３０）の長さ（Ｌ２）と異なって形成されることを特徴とする請求項２に記載の高周波熱治療装置。
【請求項１０】
前記電極は、病変部位を焼灼可能な複数の電極体を含み、
各電極体は、互いに対向するアクティブ電極体とパッシブ電極体とを含み、該アクティブ電極体とパッシブ電極体との間の高周波放射によって焼灼可能に形成され、
前記複数の電極体の少なくとも１つが前記スイッチの操作によって前記高周波発生器に電気的に連結可能であり、
前記複数の電極体のうち前記高周波発生器に電気的に連結された電極体の個数に応じて焼灼長さが可変することを特徴とする請求項１に記載の高周波熱治療装置。
【請求項１１】
前記アクティブ電極体は、環状に形成され、
前記パッシブ電極体は、前記アクティブ電極体に平行な環状に形成されることを特徴とする請求項１０に記載の高周波熱治療装置。
【発明の詳細な説明】
【技術分野】
【０００１】
本発明は、高周波熱治療装置に関し、より詳細には、身体に挿入される電極で病変部位を焼灼できる高周波熱治療装置に関する。
【背景技術】
【０００２】
一般的に、身体器官（肝臓、甲状腺など）に癌組織などが発生すると、外科的な手術方法と非手術的な方法で治療する。
【０００３】
最近は、外科的な手術方法に比べて、非手術的な方法を多く用いるが、すなわち、経動脈化学塞栓術、経皮的エタノール注入法、全身的抗癌化学療法、局所的熱治療などが知られており、なかでも、局所的熱治療が最も効果的である。
【０００４】
局所的熱治療には、高周波熱治療、マイクロ波焼灼術、レーザ焼灼術などがあり、なかでも、高周波による熱治療が最も効果が高く、医師や患者のかかる方式へのニーズが多かった。
【０００５】
大韓民国公開特許第１０−２０１３−０１２８９２６号には、このような高周波熱治療に用いられる施術装置（以下、高周波熱治療装置）が開示されている。
【０００６】
大韓民国公開特許第１０−２０１３−０１２８９２６号を参照すれば、従来の高周波熱治療装置は、高周波電流を発生させる高周波発生器と、その高周波発生器で発生する高周波電流で病変部位を焼灼する電極とを含む。
【０００７】
このような構成による従来の高周波熱治療装置は、電極が身体の内部に挿入されて高周波エネルギーを放射することにより、癌組織などの病変部位を焼灼して壊死させたり、下肢静脈類のような血管病変部位を加熱して静脈の内壁を損傷させて血管の線維化を誘発させることにより、膨らんだ血管を除去する。
【０００８】
しかし、このような従来の高周波熱治療装置においては、電極の焼灼長さを調節できない問題点があった。これによって、病変部位が電極の焼灼長さより小さい場合、病変部位周辺の正常部位に損傷を加え、病変部位が電極の焼灼長さより大きい場合、電極を移動させて焼灼しなければならない煩わしさがあった。一方、このような問題点を考慮して、電極の長さが異なる複数の高周波熱治療装置を備えておき、病変部位によってその病変部位に適した長さの電極を有する高周波熱治療装置を用いたりする。しかしながら、この場合、複数の高周波熱治療装置を備えるのにかかる費用が増加し、病変部位の大きさによって高周波熱治療装置を取り替えなければならない問題点があった。
【発明の概要】
【発明が解決しようとする課題】
【０００９】
そこで、本発明は、電極の焼灼長さを調節できる高周波熱治療装置を提供することを目的とする。
【課題を解決するための手段】
【００１０】
本発明は、上記の目的を達成するために、病変部位を焼灼する電極と、高周波電流を発生させる高周波発生器と、前記高周波発生器から前記電極に延びる電気回路を開閉するスイッチとを含み、前記スイッチの操作によって前記電極の焼灼長さが可変することを特徴とする高周波熱治療装置を提供する。
【００１１】
前記電極は、一方向に延長形成されるボディと、前記ボディの一端部に位置する第１電極体と、前記ボディの他端部に位置し、前記第１電極体から離隔する第２電極体とを含み、前記第１電極体と前記第２電極体がそれぞれ病変部位を焼灼可能に形成される。
【００１２】
前記第１電極体は、前記ボディの一端部において前記ボディの外周面に沿って螺旋状に巻線される第１アクティブ電極体と、前記ボディの一端部において前記ボディの外周面に沿って螺旋状に巻線され、前記第１アクティブ電極体と並んで巻線される第１パッシブ電極体とを含み、前記第１アクティブ電極体と前記第１パッシブ電極体との間の高周波放射によって焼灼可能に形成される。
【００１３】
前記第２電極体は、前記ボディの他端部において前記ボディの外周面に沿って螺旋状に巻線される第２アクティブ電極体と、前記ボディの他端部において前記ボディの外周面に沿って螺旋状に巻線され、前記第２アクティブ電極体と並んで巻線される第２パッシブ電極体とを含み、前記第２アクティブ電極体と前記第２パッシブ電極体との間の高周波放射によって焼灼可能に形成される。
【００１４】
前記スイッチの操作によって、前記第１アクティブ電極体と前記第１パッシブ電極体とが前記高周波発生器に電気的に連結されてもよく、前記第２アクティブ電極体と前記第２パッシブ電極体とが前記高周波発生器に電気的に連結されてもよいし、前記第１アクティブ電極体、前記第１パッシブ電極体、前記第２アクティブ電極体および前記第２パッシブ電極体が前記高周波発生器に電気的に連結されてもよい。
【００１５】
前記スイッチは、前記高周波発生器のアクティブ端子から延びる第１端子と、前記高周波発生器のパッシブ端子から延び、前記第１端子と共に一対の入力端子を形成する第２端子と、前記第１アクティブ電極体から延びる第３端子と、前記第１パッシブ電極体から延び、前記第３端子と共に一対の第１出力端子を形成する第４端子と、前記第２アクティブ電極体から延びる第５端子と、前記第２パッシブ電極体から延び、前記第５端子と共に一対の第２出力端子を形成する第６端子と、前記一対の入力端子を前記一対の第１出力端子と前記一対の第２出力端子に連結および遮断するブリッジとを含むことができる。
【００１６】
前記ブリッジは、前記入力端子を前記第１出力端子と連結させる第１ブリッジと、前記入力端子を前記第２出力端子と連結させる第２ブリッジと、前記入力端子を前記第１出力端子および前記第２出力端子と連結させる第３ブリッジとを含み、前記第１ブリッジ、前記第２ブリッジおよび前記第３ブリッジのいずれか１つが活性化されて、前記高周波発生器と前記電極とを電気的に連結するか、前記第１ブリッジ、前記第２ブリッジおよび前記第３ブリッジがすべて非活性化されて、前記高周波発生器と前記電極とを電気的に遮断するように形成される。
【００１７】
前記第１ブリッジは、前記第１端子を前記第３端子と連結させる第１アクティブブリッジと、前記第２端子を前記第４端子と連結させる第１パッシブブリッジとを含むことができる。そして、前記第２ブリッジは、前記第１端子を前記第５端子と連結させる第２アクティブブリッジと、前記第２端子を前記第６端子と連結させる第２パッシブブリッジとを含むことができる。そして、前記第３ブリッジは、前記第１端子を前記第３端子および前記第５端子と連結させる第３アクティブブリッジと、前記第２端子を前記第４端子および前記第６端子と連結させる第３パッシブブリッジとを含むことができる。
【００１８】
前記ボディの延長方向において、前記第１電極体の長さは、前記第２電極体の長さと異なって形成される。
【００１９】
一方、前記電極は、病変部位を焼灼可能な複数の電極体を含み、各電極体は、互いに対向するアクティブ電極体とパッシブ電極体とを含み、該アクティブ電極体とパッシブ電極体との間の高周波放射によって焼灼可能に形成され、前記複数の電極体の少なくとも１つが前記スイッチの操作によって前記高周波発生器に電気的に連結可能であり、前記複数の電極体のうち前記高周波発生器に電気的に連結された電極体の個数に応じて焼灼長さが可変して形成される。
【００２０】
そして、前記アクティブ電極体は、環状に形成され、前記パッシブ電極体は、前記アクティブ電極体に平行な環状に形成される。
【発明の効果】
【００２１】
本発明に係る高周波熱治療装置は、電極にそれぞれ病変部位を焼灼可能な第１電極体と第２電極体とを備え、スイッチの操作によって第１電極体に電源が印加されるか、第２電極体に電源が印加されるか、第１電極体および第２電極体ともに電源が印加されるようにすることにより、電極の焼灼長さを調節することができる。これによって、病変部位周辺の正常部位が損傷することが防止され、施術が容易であり、装備を備えるのにかかる費用が低減される。
【図面の簡単な説明】
【００２２】
【図１】本発明の一実施形態に係る高周波熱治療装置を示す正面図、
【図２】図１の電極と取っ手を示す斜視図、
【図３】図１の第１電極体が高周波発生器と連結された状態を示す回路図、
【図４】図１の第２電極体が高周波発生器と連結された状態を示す回路図、
【図５】図１の第１電極体および第２電極体が高周波発生器と連結された状態を示す回路図、
【図６】図１の第１電極体および第２電極体が高周波発生器と遮断された状態を示す回路図、である。
【発明を実施するための形態】
【００２３】
以下、本発明に係る高周波熱治療装置を、添付した図面を参照して詳細に説明する。
【００２４】
図１は、本発明の一実施形態に係る高周波熱治療装置を示す正面図であり、図２は、図１の電極と取っ手を示す正面図であり、図３は、図１の第１電極体が高周波発生器と連結された状態を示す回路図であり、図４は、図１の第２電極体が高周波発生器と連結された状態を示す回路図であり、図５は、図１の第１電極体および第２電極体が高周波発生器と連結された状態を示す回路図であり、図６は、図１の第１電極体および第２電極体が高周波発生器と遮断された状態を示す回路図である。
【００２５】
添付した図１〜図６を参照すれば、本発明の一実施形態に係る高周波熱治療装置は、高周波電流を発生させる高周波発生器１００と、前記高周波発生器１００で発生する高周波電流で病変部位を焼灼する電極２００と、前記高周波発生器１００から前記電極２００に延びる電気回路３００とを含むことができる。ここで、高周波熱治療装置は、前記電極を冷却させるための冷却装置５００をさらに含んでもよい。
【００２６】
前記高周波発生器１００は、アクティブ端子１１０およびパッシブ端子１２０を介して前記電極２００に高周波交流を供給するように形成される。
【００２７】
前記電極２００は、発熱範囲が円筒状に形成される、いわゆる斜線状バイポーラ電極から形成されるが、２つの部位で互いに独立して発熱できるように形成される。
【００２８】
具体的には、前記電極２００は、一方向に延長形成されるボディ２１０と、前記ボディ２１０の一端部に位置する第１電極体２２０と、前記ボディ２１０の他端部に位置する第２電極体２３０とを含むことができる。
【００２９】
前記ボディ２１０は、病変部位の組織に挿入容易に針状に形成される。
【００３０】
前記第１電極体２２０は、前記ボディ２１０の一端部において前記ボディ２１０の外周面に沿って螺旋状に巻線される第１アクティブ電極体２２２と、前記ボディ２１０の一端部において前記ボディ２１０の外周面に沿って螺旋状に巻線されるが、前記第１アクティブ電極体２２２と並んで巻線される第１パッシブ電極体２２４とを含むことができる。
【００３１】
前記第１アクティブ電極体２２２と前記第１パッシブ電極体２２４は、互いに同一のリード角で並んで２回以上の複数回巻かれて形成される。すなわち、螺旋状に巻かれた前記第１アクティブ電極体２２２の間に前記第１パッシブ電極体２２４が螺旋状に巻き取られて、前記第１アクティブ電極体２２２と前記第１パッシブ電極体２２４が互いに交互に形成され、前記第１アクティブ電極体２２２と前記第１パッシブ電極体２２４との間の交互間隔が一定に形成（第１アクティブ電極体２２２と第１パッシブ電極体２２４とのピッチＰ１が一定に形成）される。
【００３２】
そして、前記第１アクティブ電極体２２２と前記第１パッシブ電極体２２４は、前記電気回路３００を介して、前記第１アクティブ電極体２２２が前記高周波発生器１００のアクティブ端子１１０に連結され、前記第１パッシブ電極体２２４が前記高周波発生器１００のパッシブ端子１２０に連結される。
【００３３】
このような構成による前記第１電極体２２０は、前記高周波発生器１００で発生した高周波電流が前記電気回路３００を介して前記第１アクティブ電極体２２２と前記第１パッシブ電極体２２４に印加される場合、該第１アクティブ電極体２２２と該第１パッシブ電極体２２４との間で発生する高周波放射によって病変部位を焼灼することができる。
【００３４】
この時、前記第１電極体２２０は、前記第１アクティブ電極体２２２と前記第１パッシブ電極体２２４との間の高周波エネルギー放射時、該第１アクティブ電極体２２２と第１パッシブ電極体２２４とのピッチＰ１の中間地点を中心に発熱が発生するが、この時、前記ボディ２１０の直径に比べて、前記第１アクティブ電極体２２２と前記第１パッシブ電極体２２４との間のピッチＰ１が短いため、発熱範囲は前記ボディ２１０を取り囲む筒状に形成され、前記第１アクティブ電極体２２２と前記第１パッシブ電極体２２４との間のピッチＰ１が一定であるため、発熱範囲は縦断面矩形の円筒状になりうる。
【００３５】
前記第２電極体２３０は、前記ボディ２１０の他端部において前記ボディ２１０の外周面に沿って螺旋状に巻線される第２アクティブ電極体２３２と、前記ボディ２１０の他端部において前記ボディ２１０の外周面に沿って螺旋状に巻線されるが、前記第２アクティブ電極体２３２と並んで巻線される第２パッシブ電極体２３４とを含むことができる。
【００３６】
前記第２アクティブ電極体２３２と前記第２パッシブ電極体２３４は、互いに同一のリード角で並んで２回以上の複数回巻かれて形成される。すなわち、螺旋状に巻かれた前記第２アクティブ電極体２３２の間に前記第２パッシブ電極体２３４が螺旋状に巻き取られて、前記第２アクティブ電極体２３２と前記第２パッシブ電極体２３４が互いに交互に形成され、前記第２アクティブ電極体２３２と前記第２パッシブ電極体２３４との間の交互間隔が一定に形成（第２アクティブ電極体２３２と第２パッシブ電極体２３４とのピッチＰ２が一定に形成）される。ここで、前記第１電極体２２０による焼灼品質と前記第２電極体２３０による焼灼品質とが同等水準となるように、前記第１電極体２２０と前記第２電極体２３０のリード角およびピッチは、全体的に同等水準に形成されることが好ましい。すなわち、前記第１アクティブ電極体２２２のリード角、前記第１パッシブ電極体２２４のリード角、前記第２アクティブ電極体２３２のリード角および前記第２パッシブ電極体２３４のリード角が互いに同一に形成され、前記第１アクティブ電極体２２２と前記第１パッシブ電極体２２４との間のピッチＰ１、前記第２アクティブ電極体２３２と前記第２パッシブ電極体２３４との間のピッチＰ２、および前記第１電極体２２０と前記第２電極体２３０との間のピッチＰ３が互いに同一に形成されることが好ましい。
【００３７】
そして、前記第２アクティブ電極体２３２と前記第２パッシブ電極体２３４は、前記電気回路３００を介して、前記第２アクティブ電極体２３２が前記高周波発生器１００のアクティブ端子１１０に連結され、前記第２パッシブ電極体２３４が前記高周波発生器１００のパッシブ端子１２０に連結される。
【００３８】
このような構成による前記第２電極体２３０は、前記高周波発生器１００で発生した高周波電流が前記電気回路３００を介して前記第２アクティブ電極体２３２と前記第２パッシブ電極体２３４に印加される場合、該第２アクティブ電極体２３２と該第２パッシブ電極体２３４との間で発生する高周波放射によって病変部位を焼灼することができる。
【００３９】
この時、前記第２電極体２３０は、前記第２アクティブ電極体２３２と前記第２パッシブ電極体２３４との間の高周波エネルギー放射時、該第２アクティブ電極体２３２と第２パッシブ電極体２３４とのピッチＰ２の中間地点を中心に発熱が発生するが、この時、前記ボディ２１０の直径に比べて、前記第２アクティブ電極体２３２と前記第２パッシブ電極体２３４との間のピッチＰ２が短いため、発熱範囲は前記ボディ２１０を取り囲む筒状に形成され、前記第２アクティブ電極体２３２と前記第２パッシブ電極体２３４との間のピッチＰ２が一定であるため、発熱範囲は縦断面矩形の円筒状になりうる。
【００４０】
ここで、前記第１電極体２２０と前記第２電極体２３０が互いに別個に焼灼可能に、前記第２アクティブ電極体２３２と前記第２パッシブ電極体２３４は、前記第１アクティブ電極体２２２および前記第１パッシブ電極体２２４から前記ボディ２１０の延長方向において離隔して該第１アクティブ電極体２２２および第１パッシブ電極体２２４と接触しないように形成される。すなわち、前記第１アクティブ電極体２２２および前記第１パッシブ電極体２２４に引き込まれた電流が前記第２アクティブ電極体２３２および前記第２パッシブ電極体２３４に流れず、その逆にも電流が流れないように形成される。
【００４１】
一方、前記第１電極体２２０と前記第２電極体２３０は、該第１電極体２２０による焼灼長さ（ボディ２１０の延長方向の長さ）が該第２電極体２３０による焼灼長さ（ボディ２１０の延長方向の長さ）と互いに異なるように、該第１電極体２２０の長さＬ１が該第２電極体２３０の長さＬ２と異なって形成される。本実施形態の場合、前記第１電極体２２０の長さＬ１は、約３ｃｍ水準に形成され、前記第２電極体２３０の長さＬ２は、約４ｃｍ水準に形成される。
【００４２】
前記電気回路３００は、前記高周波発生器１００から延びる引込線３１０と、前記電極２００から延びる引出線３２０と、前記引込線３１０と前記引出線３２０とを連結および遮断するスイッチ３３０とを含むことができる。
【００４３】
ここで、前記スイッチ３３０は、前記電極２００（より正確には、ボディ２１０）の一側に備えられる取っ手４００に形成され、前記引込線３１０は、前記高周波発生器１００から前記取っ手４００の内部に延びて前記スイッチ３３０と連結され、前記引出線３２０は、前記スイッチ３３０から延びて前記取っ手４００および前記ボディ２１０を貫通して前記第１電極体２２０および前記第２電極体２３０に連結される。
【００４４】
前記引込線３１０は、前記高周波発生器１００のアクティブ端子１１０から延びるアクティブ引込線３１２と、前記高周波発生器１００のパッシブ端子１２０から延びるパッシブ引込線３１４とを含むことができる。
【００４５】
前記引出線３２０は、前記第１アクティブ電極体２２２から延びる第１アクティブ引出線３２２ａと、前記第１パッシブ電極体２２４から延び、前記第１アクティブ引出線３２２ａと共に一対の第１引出線３２２を形成する第１パッシブ引出線３２２ｂと、前記第２アクティブ電極体２３２から延びる第２アクティブ引出線３２４ａと、前記第２パッシブ電極体２３４から延び、前記第２アクティブ引出線３２４ａと共に一対の第２引出線３２４を形成する第２パッシブ引出線３２４ｂとを含むことができる。
【００４６】
前記スイッチ３３０は、前記アクティブ引込線３１２と連結される第１端子３３２ａと、前記パッシブ引込線３１４と連結され、前記第１端子３３２ａと共に一対の入力端子３３２を形成する第２端子３３２ｂと、前記第１アクティブ引出線３２２ａと連結される第３端子３３４ａと、前記第１パッシブ引出線３２２ｂと連結され、前記第３端子３３４ａと共に一対の第１出力端子３３４を形成する第４端子３３４ｂと、前記第２アクティブ引出線３２４ａと連結される第５端子３３６ａと、前記第２パッシブ引出線３２４ｂと連結され、前記第５端子３３６ａと共に一対の第２出力端子３３６を形成する第６端子３３６ｂと、前記一対の入力端子３３２を前記一対の第１出力端子３３４と前記一対の第２出力端子３３６に連結および遮断するブリッジ３３８とを含むことができる。
【００４７】
前記ブリッジ３３８は、前記入力端子３３２を前記第１出力端子３３４と連結させる第１ブリッジ３３８ａと、前記入力端子３３２を前記第２出力端子３３６と連結させる第２ブリッジ３３８ｂと、前記入力端子３３２を前記第１出力端子３３４および前記第２出力端子３３６と連結させる第３ブリッジ３３８ｃとを含むことができる。
【００４８】
前記第１ブリッジ３３８ａは、前記第１端子３３２ａを前記第３端子３３４ａと連結させる第１アクティブブリッジ３３８ａａと、前記第２端子３３２ｂを前記第４端子３３４ｂと連結させる第１パッシブブリッジ３３８ａｂとを含むことができる。ここで、前記第１アクティブブリッジ３３８ａａと前記第１パッシブブリッジ３３８ａｂは、互いに連動するように形成される。すなわち、前記第１アクティブブリッジ３３８ａａが活性化（第１端子３３２ａと第３端子３３４ａとが連結）される時、前記第１パッシブブリッジ３３８ａｂも活性化（第２端子３３２ｂと第４端子３３４ｂとが連結）され、前記第１アクティブブリッジ３３８ａａが非活性化（第１端子３３２ａと第３端子３３４ａとが遮断）される時、前記第１パッシブブリッジ３３８ａｂも非活性化（第２端子３３２ｂと第４端子３３４ｂとが遮断）されるように形成される。
【００４９】
前記第２ブリッジ３３８ｂは、前記第１端子３３２ａを前記第５端子３３６ａと連結させる第２アクティブブリッジ３３８ｂａと、前記第２端子３３２ｂを前記第６端子３３６ｂと連結させる第２パッシブブリッジ３３８ｂｂとを含むことができる。ここで、前記第２アクティブブリッジ３３８ｂａと前記第２パッシブブリッジ３３８ｂｂは、互いに連動するように形成される。すなわち、前記第２アクティブブリッジ３３８ｂａが活性化（第１端子３３２ａと第５端子３３６ａとが連結）される時、前記第２パッシブブリッジ３３８ｂｂも活性化（第２端子３３２ｂと第６端子３３６ｂとが連結）され、前記第２アクティブブリッジ３３８ｂａが非活性化（第１端子３３２ａと第５端子３３６ａとが遮断）される時、前記第２パッシブブリッジ３３８ｂｂも非活性化（第２端子３３２ｂと第６端子３３６ｂとが遮断）されるように形成される。
【００５０】
前記第３ブリッジ３３８ｃは、前記第１端子３３２ａを前記第３端子３３４ａおよび前記第５端子３３６ａと連結させる第３アクティブブリッジ３３８ｃａと、前記第２端子３３２ｂを前記第４端子３３４ｂおよび前記第６端子３３６ｂと連結させる第３パッシブブリッジ３３８ｃｂとを含むことができる。ここで、前記第３アクティブブリッジ３３８ｃａは分岐して、前記第１端子３３２ａを前記第３端子３３４ａおよび前記第５端子３３６ａと同時に連結させ、前記第３パッシブブリッジ３３８ｃｂは分岐して、前記第２端子３３２ｂを前記第４端子３３４ｂおよび前記第６端子３３６ｂと同時に連結させることができる。そして、前記第３アクティブブリッジ３３８ｃａと前記第３パッシブブリッジ３３８ｃｂは、互いに連動するように形成される。すなわち、前記第３アクティブブリッジ３３８ｃａが活性化（第１端子３３２ａが第３端子３３４ａおよび第５端子３３６ａと連結）される時、前記第３パッシブブリッジ３３８ｃｂも活性化（第２端子３３２ｂが第４端子３３４ｂおよび第６端子３３６ｂと連結）され、前記第３アクティブブリッジ３３８ｃａが非活性化（第１端子３３２ａが第３端子３３４ａおよび第５端子３３６ａと遮断）される時、前記第３パッシブブリッジ３３８ｃｂも非活性化（第２端子３３２ｂが第４端子３３４ｂおよび第６端子３３６ｂと遮断）されるように形成される。
【００５１】
このような構成による前記電気回路３００は、前記第１ブリッジ３３８ａ、前記第２ブリッジ３３８ｂおよび前記第３ブリッジ３３８ｃのいずれか１つが活性化されて、前記高周波発生器１００で発生する電流を前記第１電極体２２０および前記第２電極体２３０の少なくとも１つに供給するか、前記第１ブリッジ３３８ａ、前記第２ブリッジ３３８ｂおよび前記第３ブリッジ３３８ｃがすべて非活性化されて、前記高周波発生器１００が前記第１電極体２２０および前記第２電極体２３０と電気的に遮断させることができる。
【００５２】
以下、本実施形態に係る高周波熱治療装置の作用効果について説明する。
【００５３】
すなわち、本実施形態に係る高周波熱治療装置は、図６に示されるように、前記スイッチ３３０の第１ブリッジ３３８ａ、第２ブリッジ３３８ｂおよび第３ブリッジ３３８ｃがすべて非活性化された状態（ＯＦＦ状態）で、前記電極２００が被施術者の体内に挿入され、該電極２００の第１電極体２２０または前記第２電極体２３０が病変部位に位置し、前記スイッチ３３０の第１ブリッジ３３８ａ、第２ブリッジ３３８ｂおよび第３ブリッジ３３８ｃのうち１つが活性化されて、病変部位を焼灼するが、その焼灼長さを可変することができる。
【００５４】
より具体的には、焼灼しようとする病変部位の長さが前記第１電極体２２０の長さＬ１水準の場合、前記第１電極体２２０がその病変部位に位置し、図３に示されるように、前記第１ブリッジ３３８ａが活性化されると、前記高周波発生器１００のアクティブ端子１１０から前記アクティブ引込線３１２、前記第１端子３３２ａ、前記第１アクティブブリッジ３３８ａａ、前記第３端子３３４ａおよび前記第１アクティブ引出線３２２ａを介して電流が印加される前記第１アクティブ電極体２２２と、前記高周波発生器１００のパッシブ端子１２０から前記パッシブ引込線３１４、前記第２端子３３２ｂ、前記第１パッシブブリッジ３３８ａｂ、前記第４端子３３４ｂおよび前記第１パッシブ引出線３２２ｂを介して電流が印加される前記第１パッシブ電極体２２４の間に高周波放射が発生しながら、その病変部位が略前記第１電極体２２０の長さＬ１と同等水準の長さに焼灼される。この時、前記第２電極体２３０では焼灼が発生しない。
【００５５】
一方、焼灼しようとする病変部位の長さが前記第２電極体２３０の長さＬ２水準の場合、前記第２電極体２３０がその病変部位に位置し、図４に示されるように、前記第２ブリッジ３３８ｂが活性化されると、前記高周波発生器１００のアクティブ端子１１０から前記アクティブ引込線３１２、前記第１端子３３２ａ、前記第２アクティブブリッジ３３８ｂａ、前記第５端子３３６ａおよび前記第２アクティブ引出線３２４ａを介して電流が印加される前記第２アクティブ電極体２３２と、前記高周波発生器１００のパッシブ端子１２０から前記パッシブ引込線３１４、前記第２端子３３２ｂ、前記第２パッシブブリッジ３３８ｂｂ、前記第６端子３３６ｂおよび前記第２パッシブ引出線３２４ｂを介して電流が印加される前記第２パッシブ電極体２３４との間に高周波放射が発生しながら、その病変部位が略前記第２電極体２３０の長さＬ２と同等水準の長さに焼灼される。この時、前記第１電極体２２０では焼灼が発生しない。
【００５６】
一方、焼灼しようとする病変部位の長さが前記第１電極体２２０の長さＬ１と前記第２電極体２３０の長さＬ２とを合わせた水準の場合、前記第１電極体２２０と前記第２電極体２３０がその病変部位に位置し、図５に示されるように、前記第３ブリッジ３３８ｃが活性化されると、前記第１電極体２２０および前記第２電極体２３０ともにおいて発熱し、その病変部位が略前記第１電極体２２０の長さＬ１と前記第２電極体２３０の長さＬ２との合計と同等水準の長さに焼灼される。すなわち、前記高周波発生器１００のアクティブ端子１１０から前記アクティブ引込線３１２、前記第１端子３３２ａに印加される電流は、前記第３アクティブブリッジ３３８ｃａによって前記第３端子３３４ａと前記第５端子３３６ａに分岐し、前記第３端子３３４ａに分岐した電流は、前記第１アクティブ引出線３２２ａを介して前記第１アクティブ電極体２２２に印加され、前記第５端子３３６ａに分岐した電流は、前記第２アクティブ引出線３２４ａを介して前記第２アクティブ電極体２３２に印加される。そして、前記高周波発生器１００のパッシブ端子１２０から前記パッシブ引込線３１４、前記第２端子３３２ｂに印加される電流は、前記第３パッシブブリッジ３３８ｃｂによって前記第４端子３３４ｂと前記第６端子３３６ｂに分岐し、前記第４端子３３４ｂに分岐した電流は、前記第１パッシブ引出線３２２ｂを介して前記第１パッシブ電極体２２４に印加され、前記第６端子３３６ｂに分岐した電流は、前記第２パッシブ引出線３２４ｂを介して前記第２パッシブ電極体２３４に印加される。そして、前記第１アクティブ電極体２２２と前記第１パッシブ電極体２２４との間に高周波放射が発生しながら、病変部位の一側が前記第１電極体２２０の長さＬ１と同等水準の長さに焼灼される。これと同時に、前記第２アクティブ電極体２３２と前記第２パッシブ電極体２３４との間に高周波放射が発生しながら、病変部位の他側が前記第２電極体２３０の長さＬ２と同等水準の長さに焼灼される。これによって、病変部位の全体的な焼灼長さは、前記第１電極体２２０の長さＬ１と前記第２電極体２３０の長さＬ２との合計と同等水準になりうる。
【００５７】
焼灼が終了した後には、前記スイッチ３３０が、図６に示されるように非活性化（第１ブリッジ３３８ａ、第２ブリッジ３３８ｂおよび第３ブリッジ３３８ｃがすべて非活性化）された後、前記電極２００が被施術者の体外に引き出されることにより、施術が終了する。
【００５８】
ここで、本実施形態の高周波熱治療装置は、電極２００にそれぞれ病変部位を焼灼可能な第１電極体２２０および第２電極体２３０を備え、スイッチ３３０の操作によって第１電極体２２０に電源が印加されるか、第２電極体２３０に電源が印加されるか、第１電極体２２０および第２電極体２３０ともに電源が印加されるようにすることにより、電極２００の焼灼長さを調節することができる。
【００５９】
これによって、病変部位周辺の正常部位が損傷することが防止され、施術が容易であり、装備を備えるのにかかる費用が低減される。
【００６０】
一方、本実施形態の場合、前記第１電極体２２０による焼灼半径と前記第２電極体２３０による焼灼半径とが同等水準となるように、前記第１電極体２２０のリード角が前記第２電極体２３０のリード角と同等水準に形成され、前記第１電極体２２０のピッチＰ１が前記第２電極体２３０のピッチＰ２と同等水準に形成される。しかし、前記第１電極体２２０による焼灼半径と前記第２電極体２３０による焼灼半径とが異なる水準となるように、前記第１電極体２２０のリード角が前記第２電極体２３０のリード角と異なる水準に形成され、前記第１電極体２２０のピッチＰ１が前記第２電極体２３０のピッチＰ２と異なる水準に形成されてもよい。
【００６１】
一方、本実施形態の場合、前記第１電極体２２０による焼灼部位と前記第２電極体２３０による焼灼部位とが互いに連結可能に、前記第１電極体２２０と前記第２電極体２３０との間の距離が前記第１電極体２２０のピッチＰ１および前記第２電極体２３０のピッチＰ２と同等水準に形成され、互いに反対極性が対向するように形成（例えば、第１電極体２２０と第２電極体２３０とが互いに隣接する部位で、第１アクティブ電極体２２２に第２パッシブ電極体２３４が対向するか、第１パッシブ電極体２２４に第２アクティブ電極体２３２が対向するように形成）される。しかし、前記第１電極体２２０と前記第２電極体２３０との間に放電が発生するのを抑制するように、前記第１電極体２２０と前記第２電極体２３０との間の距離が前記第１電極体２２０のピッチＰ１および前記第２電極体２３０のピッチＰ２より長く形成され、互いに同一極性が対向するように形成（例えば、第１電極体２２０と第２電極体２３０とが互いに隣接する部位で、第１アクティブ電極体２２２に第２アクティブ電極体２３２が対向するか、第１パッシブ電極体２２４に第２パッシブ電極体２３４が対向するように形成）されてもよい。
【００６２】
一方、本実施形態の場合、前記スイッチ３３０は、前記第１ブリッジ３３８ａ、前記第２ブリッジ３３８ｂおよび前記第３ブリッジ３３８ｃをすべて備え、該スイッチ３３０のボタン操作によって前記第１ブリッジ３３８ａ、前記第２ブリッジ３３８ｂおよび前記第３ブリッジ３３８ｃのいずれか１つが活性化されるか、すべて非活性化されるように形成されてもよい。しかし、これに限定されるものではなく、焼灼を施す場合には、前記第１電極体２２０および前記第２電極体２３０の少なくとも１つに電流を印加させ、焼灼を施していない場合には、前記第１電極体２２０および前記第２電極体２３０ともに電流を遮断する範囲内でそのスイッチ３３０についての多様な実施形態が存在しうる。
【００６３】
一方、本実施形態の場合、前記電極２００は、斜線状バイポーラ電極から形成されるが、別途に示さないものの、環状バイポーラ電極から形成されてもよい。すなわち、前記電極は、複数の電極体を含み、各電極体は、互いに平行なアクティブ電極体とパッシブ電極体とを含み、該アクティブ電極体とパッシブ電極体は、それぞれ環状に形成される。そして、前記複数の電極体は、電気回路およびスイッチを介して電源の印加が可能であるが、スイッチの操作によって前記複数の電極体の少なくとも１つに電源が印加されることにより、焼灼長さを調節することができる。
【産業上の利用可能性】
【００６４】
本発明は、電極の焼灼長さを調節できる高周波熱治療装置を提供する。
【図１】
2019533522.tif 000003
【図２】
2019533522.tif 000004
【図３】
2019533522.tif 000005
【図４】
2019533522.tif 000006
【図５】
2019533522.tif 000007
【図６】
2019533522.tif 000008
【国際調査報告】
2019533522.tif 000009
2019533522.tif 000010
2019533522.tif 000011
2019533522.tif 000012